(57)【要約】　　【課題】　電子機器等を収容するエンクロージャ装置で、内部に配設される装置のレイアウト変更を容易にする。　　【解決手段】　エンクロージャを構成するハウジングのベース部分１０２に、複数の保持支柱１２０が所定の間隔で側壁１０４に沿うようにして立設される。保持支柱１２０と側壁１０４とは、間がステム２００で接続される。保持支柱１２０の一部である第１、第２の分岐枝２０２、２０４と、ステム２００とでＴ字型の断面形状が構成され、これにより対向しあう溝２１０が形成される。この対向し合う溝２１０の部分に所望の挿入装置（アタッチメント）を挿入することにより、マザーボードを保持したり、エンクロージャの通気を制御したり、冷却ファン等を取り付けるためのベース部分を形成したりすることが可能となる。　　【選択図】　　図２
2004088108.tif 000002
【特許請求の範囲】
【請求項１】
　ハウジングを備える機器用エンクロージャ装置であって、
　側壁と、前記ハウジング内に配設されて前記側壁に隣接する一対の保持支柱とを有し、前記保持支柱は前記側壁との組み合わせで一対の対向溝を画成し、前記対向溝に対して相補的形状を有する挿入部を摺動可能に受け入れる前記ハウジングを備えることを特徴とする機器用エンクロージャ装置。
【発明の詳細な説明】
【技術分野】
【０００１】
　本発明は概して、コンピュータハードウェアなどの電子デバイスを収容するのに用いる種類のエンクロージャに関する。特に、本発明はクラムシェル構造のエンクロージャ装置に関する。
【背景技術】
【０００２】
　エンクロージャは通常、マザーボードやプリント回路基板（ＰＣＢ）やトランスやファンや表示パネルやプロセッサといった幾つかのコンピュータハードウェア装置を含む。エンクロージャは、衝撃や振動或いは外部の擦れから生ずる可能性のある損傷からハードウェアを保護し、ハードウェアを可搬性とし作業台上での使用或いはラック装着に適したものにするのに適したパッケージを提供する。エンクロージャはまた、エンクロージャ外部のハードウェアによりかつまた収容したハードウェア自体から生成された電磁障害（ＥＭＩ）や静電放電（ＥＳＤ）からハードウェアを遮蔽する手段を備えることがある。
【０００３】
　機械収容装置（エンクロージャ）製造の周知の一手法では、穴あけ加工された金属製の収容部に１以上のプラスチック成形部品を組み合わせたものが用いられる。収容部は、エンクロージャの組立を行う前に金型のセットを用いて成形される。すなわち、金属加工として知られる製造プロセスである。金属加工には一般に、収容部の決められた形状を成形すべく設計された単発のプレス型が用いられる。設計に柔軟性を与え、それによってエンクロージャ用部品を用いて複数種類のものを製造可能とするため、エンクロージャ用部品の製造工程は幾つかの独立した行程、例えば穿孔、打ち抜き、第１段折り曲げ、第２段折り曲げ等の行程に分割される。さらに柔軟性を高めるため、パンチやダイのセットなど、追加の可動要素を用いることもある。
【０００４】
　エンクロージャは通常、完成した状態で中に収容される特定構造のハードウェアに対し冷却構造をもたらすよう設計される。冷却構造は、過熱によるハードウェアの損傷や非効率的な動作を抑止するために必要である。特定のエンクロージャにおける要求冷却性能に対しては、側壁に沿って通気孔を分布させ、エンクロージャ内でファンなどの能動的冷却方法を用いたり、エンクロージャ内で空気を循環させるために熱対流を用いる受動的冷却方法を用いたりすることで応えることができる。能動的冷却方法も受動的冷却方法も共に通気孔を介して暖気を排出し、エンクロージャ外部から吸い込んだ、より低温の空気でもって暖気を置換することを目指すものである。
【０００５】
　上記の製造手法は不利であり、何故ならこの種の金型の組み合わせは高価であり、新たなエンクロージャを創り出すためにエンクロージャの幅や長さを変更すると、通常は新規の高価な型を設計して使用する必要があるからである。さらにまた、エンクロージャ内に新たな構成のハードウェアを挿入しなければならない場合があると、それまでのハードウェア構成用に設計された冷却機構は新たなハードウェア構成にとっては不適切なものとなることもある。以後の製造のことを考慮すると、上記のエンクロージャは収容部の固定された（融通の利かない）構造が原因で設計上の柔軟性を欠くものであり、それ故に新規の冷却機構を収容するために通常は新規のエンクロージャを製造することになる。
【発明の開示】
【発明が解決しようとする課題】
【０００６】
　これに代わるものとして、射出成形されたプラスチックを用いたクラムシェル構造などのエンクロージャを製造することもできる。この種のプラスチッククラムシェル構造は一般に、前述の鋼鉄製のエンクロージャよりも廉価に製造される。クラムシェル構造は、基体と蓋部を備える特別設計のエンクロージャである。クラムシェル構造エンクロージャの組立には、基体内へのハードウェアの挿入と、それに続いて蓋部を基体へ固定して組立が完了する。この種の組立工程は、「トップダウン」組立法として知られている。この射出成形によるクラムシェル構造エンクロージャの欠点は、クラムシェル構造エンクロージャが単一の製品用にそれぞれ設計され、組み上げ時に収容しようとするハードウェアのレイアウト及び／又は種別に依存する特定の冷却機構を支持するよう設計される点にある。それ故、ハードウェア構成の変更とそれに伴うクラムシェル構造エンクロージャの冷却要件の変更に、新たなエンクロージャの設計と製造が要求される。従来知られているクラムシェル構造エンクロージャは、それ故に再使用したり、製品が寿命を迎えるまでの期間中にハードウェアのレイアウト構成や種別を変更したりするのに良好に適するとはいえない。
【課題を解決するための手段】
【０００７】
　本発明の第１の態様によれば、ハウジングであって、側壁と、ハウジング内に配設され側壁に隣接する一対の保持支柱を有し、保持支柱が側壁と組合わさって相補的形状の挿入部を摺動可能に受け入れる一対の対向溝を画成するハウジングを備えるエンクロージャが提供される。
【０００８】
　保持支柱は側壁表面から突出させ、側壁に当接するよう構成することができる。
【０００９】
　保持支柱の少なくとも一つは細長く、挿入部の傾斜壁に相補的に当接する傾斜面を含ませることができる。
【００１０】
　保持支柱は、断面が略Ｔ形状とすることができる。保持支柱は、側壁と一体に形成することができる。
【００１１】
　このハウジングは少なくとも３本の保持支柱を有し、隣接するそれぞれの保持支柱の対が側壁と組み合わさって側壁沿いに間隔を置いて配置される対向溝の対をそれぞれ形成することができる。
【００１２】
　この挿入部は、通気制御装置かユーティリティブラケットかマザーボード保持具のいずれかとすることができる。
【００１３】
　ハウジングの内面の少なくとも一部に、金属を被覆することができる。
【００１４】
　本発明の第２の態様によれば、所定機能の遂行を可能にする形状とした本体と、相補的形状を有する溝内に摺動自在に挿入可能なように配置された周縁肩部を備えるエンクロージャ用の挿入部が提供される。
【００１５】
　周縁肩部は、傾斜壁によって形成することができる。
【００１６】
　一実施形態では、本発明の第２の態様に関連して説明した挿入部を備えるエンクロージャ挿入部が提供される。
【００１７】
　本発明の第３の態様によれば、電磁障害を接地するシールドが提供され、このシールドは周縁に設けられた突起を含み、この突起はシールドを形成すべくハウジングの導電部に対して捕捉（接触）可能とすることができる。
【００１８】
　このハウジングは溝を有しており、この溝が金属被覆面又は金属面を有し、使用時に（組立完了状態で）上記突起は金属被覆面又は金属面に対し捕捉される（接触する）。シールド材によって電磁干渉シールド機能が付与される部分であって、使用時に（組立完了状態で）上記溝内に位置する部分と、金属被覆面又は金属面との間で上記突起は捕捉（接触）することができる。
【００１９】
　本発明の第４の態様によれば、電気部用のハウジングが提供され、このハウジングは開口を有し楔形状、あるいはテーパ状空間の外形を形成する案内スロットを有しており、このスロットが案内スロットの開口内への電気部端部の摺動自在な挿入を可能にし、案内スロットは開口からこの開口よりも幅狭の溝へ向かって傾斜している（テーパ形状をなしている）。このスロットは、電気部の端部の摺動自在の挿入を可能とするため、その端部を拡幅することができる。
【００２０】
　電気部の端部は、案内スロットの傾斜を補完する（相補的な対をなす）輪郭とし、電気部は使用時に案内スロットにぴったりと着座させる（適合して収まるようにする）ことができる。電気部には、電磁障害遮蔽用シールドを備えることができ、このシールドの一部が電気部と案内スロットの壁との間で接触する。
【発明を実施するための最良の形態】
【００２１】
　以下、添付図面を参照して本発明の少なくとも一つの実施の形態を例示としてのみここに説明する。
【００２２】
　以下の説明を通じて、同一の参照符号は同様の部分の特定に用いるものとする。
【００２３】
　図１を参照すると、クラムシェル構造エンクロージャの射出成形された基体部１００は、基体１０２と、基体１０２からほぼ直角に延びる一対の側壁１０４とを備え、各側壁１０４には複数の通気孔１０６が配列されている。基体部１００は、ディスプレイ組立体１１０（図７〜１１により詳細に記載）を収容する前面部１０８と、例えばクラムシェル構造内部に配置した電子ハードウェア装置とクラムシェル構造外部にあるものとの間のデータ信号用及び給電用コネクタ（図１に図示せず）を収容する背面部１１２を備える。基体部１００はまた、把手（図示せず）、例えば「コ」の字形の把手をそこに結合するための把手コネクタ取り付け部１１４を備える。把手が結合された状態では、把手はクラムシェル構造を持ち運ぶための第１の位置と、クラムシェル構造のティルトスタンドとして機能する第２の位置をとることができる。基体１０２には、複数のボス１１６および位置決め部１１８が一体的に形成されている。ボス１１６には、内部にネジ穴が切られたメタルインサートが後で挿入される。基体１０２の表面は、代表的な値として、０．０５Ω未満のシート抵抗を得るべく導電性金属被膜を備える。導電性金属被膜は、例えば銀や黒鉛やニッケルといった導電粒子を混入した塗料をスプレー塗装することを含む幾つかの方法で得ることができる。別の方法として、公知の金属被膜を真空蒸着して被覆する工程により薄い金属層をコートすることもできる。基体１０２表面の金属被覆は、基体１０２に静電放電（ＥＳＤ）特性をもたせるのに役立つ。基体１０２を少なくともその内面において導電性とする他の手法を用い得ることも、理解さるべきである。例えば、ステンレス鋼のフィラメントを基体１０２の射出成形前に基体１０２の形成に用いるプラスチック成形用化合物（ペレット）に混入させることができる。また、上記技法の組み合わせもまた想起可能である。
【００２４】
　複数の保持支柱１２０が基体１０２に一体形成してあり、基体１０２から基体１０２の側面沿いに延び、基体１０２にほぼ垂直に起立している。本例では、全てではないが、保持支柱１２０は基体１０２の端部に沿い、かつ側壁１０４に隣接して一定間隔で配設してある。
【００２５】
　図２（ａ），（ｂ）を参照すると、図２（ａ）のＡ−Ａ線に沿う保持支柱１２０の断面は、図２（ｂ）に示されるようにほぼＴ形の形状をなす。従って、Ａ−Ａ線に沿う断面では、各保持支柱１２０はステム２００と、ステム２００の端部２０６に交わる第１の分岐枝２０２及び第２の分岐枝２０４を有する。ステム２００は、第１及び第２の分岐枝２０２，２０４から保持支柱１２０が隣接する側壁１０４のうちの一つに向かって延びている。第１及び第２の分岐枝２０２，２０４はそれぞれ、始めはほぼ一様な肉厚でステム２００の端部２０６から延びるが、ステム２００の端部２０６から離れる第１及び第２の分岐枝２０２，２０４の端部へ向けて厚肉化してあり、保持支柱１２０が隣接する側壁１０４の一つへ向かう内向き突起２０８がそれぞれ備わっている。側面図（図２（ａ））では、各保持支柱１２０は、各保持支柱１２０の頂部から基体１０２へ向かって外方へ（幅を増すように）傾斜する面２１２により傾斜する（テーパ状の）細長い輪郭を有する。図２（ａ），（ｂ）には図示していないが、図１からは保持支柱１２０を補強すべく補強リブ１２２が基体１０２及び保持支柱１２０の側面１２４の下部を連結していることが見て取れる。
【００２６】
　従って、所与の保持支柱１２０に対して、溝２１０は側壁１０４とステム２００と第１及び第２の分岐枝２０２，２０４のうち一つにより画成される。任意の二つの対向溝２１０を用い、適当な形状をもった挿入装置（すなわち挿入部）１２６（図１）を収容することができる。
【００２７】
　保持支柱１２０が、上記の如くＡ−Ａ線に沿うＴ形断面を有する一方で、保持支柱１２０を他の断面形状を有するよう形成できることは理解されたい。
【００２８】
　図１に戻り、前述の如く、挿入装置１２６は対をなす保持支柱１２０間に固着（保持、締結）することができ、挿入装置１２６の形状は、挿入装置１２６によりもたらそうとする機能に従った形状としてある。例えば、挿入装置１２６は、図３、図４、図５を参照して後で説明するが、それぞれマザーボード保持具１２８（図３）や通気孔ブロック１３０（図４）などの気流制御装置やユーティリティブラケット１３２（図５）とすることができる。
【００２９】
　図３を参照すると、マザーボード保持具１２８はほぼ矩形の外形をなし、上部３０２と下部３０４を有する保持具本体３００を備える。クリップ部３０６は保持具本体３００の下部３０４に一体に形成され、プリント回路基板（図示せず）、例えばマザーボードの外端部を受けて係合するよう構成してある。この目的で、クリップ部３０６は、分離して配設された一対の下側支持突起３１０の上方で保持具本体３００の長手方向に沿う方向に間隔をおいた位置であって、間隔をおいて配設された一対の上側支持突起３１２の間の位置に配設された上側タブ３０８と、下側支持突起３１０と上側支持突起３１２とによって形成される溝部を有している。この溝部で、上述したプリント回路基板の外縁部を保持する。そのため、上側タブ３０８は、間隔をおいて配設された一対の下側支持突起３１０の間の空隙３１４のほぼ上方に、横方向に延在するように配置される。上側タブ３０８は、プリント回路基板の外縁部沿いに配設することのできるくり抜き加工部（図示せず）に係合する保持凸部３１６を備える。上側タブ３０８は、弾性変形可能であり、これによりプリント回路基板の外縁部はクリップ部３０６へスナップフィットで固定される（上側タブ３０８の弾性復元力により、保持凸部３１６が上述したくり抜き加工部にはまりこむ）。クラムシェル構造内にプリント回路基板を組み込むときに、プリント回路基板に取り付けた中空のスペーサ（図示せず）が複数のボス１１６に対してそれぞれ位置決めされ、プリント回路基板に対し接地をもたらすべくそれぞれのスペーサにネジ（図示せず）を貫通させ、ボス１１６を介してプリント回路基板は導電性を有する基体１０２に固定される。その一方で、保持具本体３００の略矩形の外形に対して垂直方向に突出する嵌め込み周縁壁３１８は、第１対の溝１３４，１３６（図１）と協働する（嵌り合う）内部周縁肩部３２０を画成しており、プリント回路基板はマザーボード保持具１２８によっても保持・固定されている。周縁壁３２０は、保持具本体３００の中心から長手方向端部３２２へ向け内方へ傾斜して（先細りのテーパ状になって）おり、すなわち周縁壁部３２０の傾斜輪郭は上側部３０２と下側部３０４とが合わさる部分で最大幅を有する。マザーボード保持具１２８はまた、クリップ部３０６が突出する向きとは反対の向きに向けて保持具本体３００から外方へ突出するスナップキャッチ３２４を備え、スナップキャッチ３２４は、マザーボード保持具１２８を所定位置に固定するため通気孔１０６内に挿入可能である。マザーボード保持具１２８は、組み込み時にマザーボード保持具１２８に隣接する通気孔１０６を介して一部空気流をクラムシェル構造内部へ導くアパチャ３２６を構成するよう形成してある。
【００３０】
　図４を参照すると、通気孔ブロック１３０は第１の部分４０２と第２の部分４０４とを有する通気孔ブロック本体４００を備える。マザーボード保持具１２８と同じく、通気孔ブロック１３０はほぼ矩形の外形と、第２の対の溝１３８、１４０（図１）と協働する（嵌り合う）内部周縁肩部３２０を画成する嵌め込み周縁壁３１８を有する。周縁壁３１８は通気孔ブロック１３０の長手方向中心から通気孔ブロック１３０の長手方向端部４０６へ向けて内方へ傾斜して（先細りのテーパ状になって）おり、すなわち周縁壁３１８の傾斜輪郭は第１の部分４０２と第２の部分４０４とが合わさる部分において最大幅を有する。壁部４０８は一対の長手方向端部４０６の一つにおいて通気孔ブロック１３０に一体形成してあり、通気孔ブロック１３０によって誤って通気が阻止されないようにするフールプルーフをもたらすべく、マザーボード保持具１２８（図３）の下側及び上側の支持突起３１０，３１２で形成されるスロットに対応する高さ内或いはその上方の位置に相当するところまで延ばしてある。これに対応して、プリント回路基板にはプリント回路基板の外縁の所定位置に配設した逃げ溝（図示せず）を備える。逃げ溝が存在する箇所では、壁部４０８は逃げ溝を貫通し、このようにして通気孔ブロック１３０は一対の対応する保持支柱間に完全に挿入できるようになる。故に、通気孔ブロック１３０は、マザーボード（プリント回路基板）に逃げスロットの設けてある部分にしか挿入できなくなる。通気孔ブロック１３０はまた、マザーボード保持具１２８に関連して前記した形態のスナップキャッチ３２４を備える。必要に応じて、通気孔に蝶番を固定する固定ネジを受ける穴（複数可）（図示せず）を、通気孔ブロック１３０の第１の部分４０２に配設することができる。そのようにすれば、この蝶番はクラムシェル構造内の小組立体やパネルや他のモジュールの固定に用いられ、それによってそれらは通常の収容位置から持ち上げられることができ、その下側やその下側に位置する部品等へのアクセスが容易になる。
【００３１】
　図５を参照すると、ユーティリティブラケット１３２は第１の部分５０２と第２の部分５０４を有するユーティリティブラケット本体５００を備える。マザーボード保持具１２８と通気孔ブロック１３０と同じく、ユーティリティブラケット１３２はほぼ矩形の外形、すなわち本例ではほぼ正方形の外形と、第３の対の溝１４２、１４４と協働する（嵌り合う）側方肩部３２０を画成する嵌め込み側壁５０６を有する。嵌め込み側壁５０６は、第１及び第２の部分５０２、５０４が合わさるユーティリティブラケット１３２の中心からユーティリティブラケット１３２の端部５０８へ向け内方へ傾斜して（先細りのテーパ状になって）おり、すなわち嵌め込み側壁５０６の傾斜付き輪郭は第１の部分５０２と第２の部分５０４とが合わさる部分において最大幅を有する。ユーティリティブラケット１３２はさらに、ファン（図示せず）やトランス（図示せず）といった装置をユーティリティブラケット１３２に結合すべく、ネジ（図示せず）などの固定手段のために利用可能な、角部に設けられた丸穴５１０を備える。ユーティリティブラケット１３２はまた、１以上のブリッジ部５１２を備える。ブリッジ部５１２はそれぞれ、左右の嵌め込み側壁５０６間をつなぐ仮想の平面に対して直交する方向に突出するようにこれらの嵌め込み側壁５０６を橋絡し、これによって複数の埋め込み側壁５０６間には逃げ５１４が確保される。図１を再度参照すると、逃げ５１４はユーティリティブラケット１３２の複数の側方肩部３２０が連携して挿入される第３の対の溝１４２、１４４間に配設された１以上の中間の保持支柱１４６、１４８をユーティリティブラケット１３２が跨ぐのに必要である。ユーティリティブラケット１３２の大きさが増して１以上の保持支柱を跨がせる必要がある場合、必要に応じてマザーボード保持具１２８や通気孔ブロック１３０の機能を有するようにこのブリッジ部５１２を形成することができる。
【００３２】
　図６を参照すると、途中まで組み立てられたクラムシェル構造エンクロージャ６００は、蓋部６０２と結合した基体部１００を備える。基体部１００の位置決め部１１８は、基体部１００と蓋部６０２の効率的な嵌合を容易にすべく、蓋部６０２に一体形成した対応する位置決め部６０４に結合させてある。蓋部６０２も、前述の保持支柱１２０を備える。
【００３３】
　クラムシェル構造エンクロージャ６００は、異なる構成のハードウェアを収容し、またその製品寿命を迎えるまでの間に異なる冷却機構を供給するよう用いることができる。その理由は、挿入装置１２６が幾つかの異なる溝２１０（図２）間に配置され、したがって本例の場合、クラムシェル構造の側壁１０４沿いの様々に異なる位置に配置できるからである。例えば、通気孔１０６を介して暖気をその背後（外）に排出させ、対向側壁内の通気孔１０６を介して吸い込まれる、より低温の空気で排出暖気を置換すべく、ファン（図示せず）をユーティリティブラケット１３２に取り付けることができる。ファンの位置は、ユーティリティブラケット１３２を位置変えすることで容易に変えることができる。能動的な冷却とは対照的な受動的冷却を必要とするような代替構成のハードウェアをクラムシェル構造内に組み込む必要を生じた場合、ユーティリティブラケット１３２とファンはクラムシェル構造６００内に収容すべき電気機器用の所要の空気管理設計に従って分散される幾つかの通気孔ブロック１３０によって置換できることになろう。
【００３４】
　図７を参照すると、フロントパネルディスプレイ組立体１１０は、ポリカーボネート・アクリルニトリル・ブタジエン・スチレン（ＰＣ−ＡＢＳ）を用いて製造した化粧パネル７００や、細かいステンレス鋼メッシュをインサートしてポリエステルを用いて成形した窓７０４を有するシリコンゴム製キーマット７０２や可撓性キー回路７０６や、ステンレス鋼で製造されていてフック形状の指状接点（以下「フック」と称する）７１０すなわち電磁障害シールド７０８の外周縁沿いに延出或いは突出させて配設した「フック」を有する電磁障害（ＥＭＩ）シールド７０８などの構成部品を含む。本例では、電磁障害シールド７０８は矩形形状をなし、電磁障害シールド７０８の互いに対向する端部７１２におけるフックは、電磁障害シールド７０８が延在する平面に直交する傾斜輪郭を画成している。対向するそれぞれの端部７１２では、一対の傾斜７１４が複数のフック７１０により形成されていて、これらのフック７１０がほぼ中央頂部７１６でほぼ相接している。
【００３５】
　図８に最もよく図示してある如く、化粧パネル７００は、化粧パネル７００から突出する周縁垂直壁８００を備える。化粧パネル７００の第１の端部８０２において、周縁壁８００は第１の傾斜８０６と第２の傾斜８０８を有する第１の端部壁８０４を備え、第１及び第２の傾斜８０６，８０８はほぼ中央頂部８１０から互いに離間する方向に傾斜し（中央頂部８１０の部分を棟とした切妻屋根状の形状をなし）、幅狭の隆起８１２が頂部８１０に位置する。化粧パネル７００の端部壁８０４は、電磁障害シールド７０８の対向し合う端部７１２（図７）の一方においてフック７１０が画成する傾斜輪郭と相補形をなす。再び図７を参照すると、化粧パネル７００の周縁壁８００は、協働的或いは相補的な様式でフック７１０を個別に受け入れる形状を有する凹部７２０の列も備える。
【００３６】
　図８の化粧パネル７００は一部しか図示していないが、図７に示すように、化粧パネル７００は化粧パネル７００の周縁壁８００を延ばしたさらなる周縁壁７２２も備え、このさらなる周縁壁７２２が第１の端部壁８０４と同一或いは同様の輪郭を有する第２の端部壁７２４を含み、この第２の端部壁７２４がまた電磁障害シールド７０８の対応する端部７１２においてフック７１０が画成する輪郭に対し相補的輪郭をなすことは理解さるべきである。
【００３７】
　図７のフロントパネルディスプレイ組立体１１０の組立は、以下の通りである。化粧パネル７００の背部から化粧パネル７００内にキーマット７０２を挿入し、続いて窓７０４と可撓性キー回路７０６を挿入する。次に電磁障害（ＥＭＩ）シールド７０８が可撓性キー回路７０６と化粧パネルの露出部分上に配置され、これにより電磁障害シールド７０８のフック７１０が、化粧パネル７００周縁に配設される対応する凹部７２０と互いに嵌り合う。電磁障害シールド７０８は、フロントパネルディスプレイ組立体を組み上げた状態で、ユーザがキーを押した時に可撓性キー回路７０６とキーマット７０２とを機械的に支持する。
【００３８】
　図９を参照すると、組み上げたフロントパネルディスプレイ組立体９００は、電磁障害シールド７０８の背後に結合され、可撓性で平面様の接続リード線９０４により可撓性キー回路７０６に電気的に接続したディスプレイ支持組立体９０２を備える。ディスプレイ支持組立体９００は、化粧パネル７００上の所定場所にスナップフィットで固定され、電磁障害シールド７０８を所定位置に固定する。ディスプレイ支持組立体９００は、ディスプレイなどのハードウェア（図示せず）やディスプレイインタフェースボード（ＤＩＢ）やディスプレイのバックライトを駆動するインバータボードを備える。
【００３９】
　電磁障害シールド７０８のフック７１０は、化粧板７００の周縁壁８００内に形成した、フック７１０に対応する凹部７２０に嵌り込み、対応する凹部内に存するフック７１０の追加的な肉厚によって側壁の高さｈは増大する。
【００４０】
　図１０を参照すると、クラムシェル構造基体部１００の前面部１０８は、第１及び第２の端部壁８０４（図８），７２４（図９）の第１或いは第２の傾斜８０６，８０８（図８）の一方の傾斜輪郭に対し相補的な形状のテーパを有する案内スロット９５０を備える。この点に関し、基体部１００のスロット９５０は、各側壁１０４内に形成された溝９５２を備える。この溝９５２は、基体１０２にほぼ垂直な前面壁９５４と、頂部８１０（図８）の高さにほぼ対応する形を形成するようなテーパで前面壁９５４から離れた位置にある背面壁９５６とを有する。背面壁９５６は、前面壁９５４に対して基体１０２へ向かって内方へ（互いに近づく方へ）傾斜している。基体１０２の部分では、傾斜した（テーパ状、あるいは楔状の）溝９５２は、周縁壁８００の非傾斜側面（図７において、化粧パネル７００の長辺に沿って延在する側面）の一方或いは双方に対応するほぼ一様な幅の基部溝９５８と連通している。組み上がったフロントパネル表示ディスプレイ組立体９００（図９）は、組み上がったフロントパネルディスプレイ組立体９００を前面部１０８にて受け入れる形状のスロット９５０へ挿入される。フック７１０（図７）によって、周縁壁８００は高さが増しており、これが組み上がったフロントパネルディスプレイ組立体９００とクラムシェル構造との間でプレスフィット（ｃｏｍｐｒｅｓｓｉｏｎ　ｆｉｔｔｉｎｇ）するのに役立つ。フック７１０を保持する周縁壁８００をスロット９５０へ挿入すると、フック７１０は対応する凹部７２２へ押しつけられ、これによって十分な追加の肉厚を得ることができ、フロントパネルディスプレイ組立体９００は摩擦力によりスロット内にしっかりと保持される。
【００４１】
　図１０に示すクラムシェル構造基体部１００を、その内側からＢＢ線に沿う方向に見た様子を部分断面図で示す図１１を参照すると、組み上がった状態で、フロントパネルディスプレイ組立体９００はスロット９５０（図１０）内に挿入され、化粧パネル７００の端部を囲繞する電磁障害シールド７０８のフック７１０が基体１０２の（金属被覆）内部と電気的に接触し、電磁障害接地手段をもたらす。このようにして、電磁障害シールド７０８が、フック７１０により、フロントパネルディスプレイ組立体９００に対する構造的な支持と、フロントパネル組立体９００の電磁障害シールド７０８とクラムシェル構造の内部のシャーシ間で電気的な接触を得ることができ、電磁障害の連続的な接地が可能となる（連続的にシールドすることができる）。
【００４２】
　なお、本発明は例として以下の態様を含む。
［１］　ハウジングを備えるエンクロージャ装置であって、側壁（１０４）と、前記ハウジング内に配設されて前記側壁（１０４）に隣接する一対の保持支柱（１２０）とを有し、前記保持支柱（１２０）は前記側壁（１０４）との組み合わせで一対の対向溝（２１０）を画成し、前記対向溝（２１０）に対して相補的形状を有する挿入部（１２６）を摺動可能に受け入れる前記ハウジングを備える、ことを特徴とする機器用エンクロージャ装置。
［２］　前記保持支柱（１２０）は、前記側壁（１０４）に当接するよう配置してあることを特徴とする［１］に記載のエンクロージャ装置。
［３］　前記保持支柱（１２０）のうちの少なくとも１本は細長く、前記挿入部（１２６）の傾斜壁と相補的に当接する傾斜面を備えることを特徴とする［１］又は［２］に記載のエンクロージャ装置。
［４］　前記保持支柱（１２０）は、断面がほぼＴ形をなすことを特徴とする［１］から［３］のいずれか１つに記載のエンクロージャ装置。
［５］　前記保持支柱（１２０）は、前記側壁（１０４）と一体に形成してあることを特徴とする［１］から［４］のいずれか１つに記載のエンクロージャ装置。
［６］　前記ハウジングが少なくとも３本の保持支柱（１２０）を有しており、前記保持支柱（１２０）の各隣接する対が前記側壁（１０４）と協働して前記側壁沿いにそれぞれ間隔を置いて配設した対向溝（２１０）の対を画成していることを特徴とする［１］から［５］のいずれか１つに記載のエンクロージャ装置。
［７］　前記挿入部（１２６）は、通気制御装置（１３０）、ユーティリティブラケット（１３２）、およびマザーボード保持具（１２８）のうちのいずれか１つであることを特徴とする［１］から［６］のいずれか１つに記載のエンクロージャ装置。
［８］　前記ハウジングの内面の少なくとも一部は、金属被覆してあることを特徴とする［１］から［７］のいずれか１つに記載の装置。
［９］　エンクロージャ用の挿入部（１２６）であって、所定機能の遂行を可能にする形状を有する本体（３００、４００、５００）と、相補的な形状の溝（２１０）内に摺動自在に挿入可能なように配置された周縁肩部（３２０）を備えることを特徴とする挿入部。
［１０］　前記周縁肩部（３２０）は、傾斜壁（３１８、５０６）により画成してあることを特徴とする［９］に記載の挿入部（１２６）。
［１１］　［９］又は［１０］に記載の前記挿入部（１２６）を有することを特徴とする機器用エンクロージャ装置に用いる挿入部（１２６）。
［１２］　電磁干渉を接地するシールドであって、周辺突起（７１０）をハウジングの導電部に対して接合可能とし、これによりシールドを形成するようにした前記周辺突起（７１０）を備えることを特徴とするシールド（７０８）。
［１３］　前記ハウジング（１０２）は溝（９５０）を有しており、前記溝（９５０）が金属被覆又は金属面を有しており、使用状態で前記周辺突起（７１０）は金属被覆又は金属面に対し接合していることを特徴とする［１２］に記載のシールド。
［１４］　シールド材（７０８）によって電磁干渉シールド機能が付与される部分であって、使用状態で、前記溝（９５０）内に位置する前記部分と、前記金属被覆又は金属面との間で前記周辺突起（７１０）が接合することを特徴とする［１３］に記載のシールド。
［１５］　開口部を有し、外形形状がほぼ楔形の空間を画する案内スロット（９５０）であって、電気部（１１０）の一端部を前記案内スロット（９５０）の前記開口内へ摺動可能な挿入を可能にし、前記開口部から前記開口部よりも幅の狭い溝（９５８）へ向かって傾斜する前記案内スロットを備えることを特徴とするハウジング。
［１６］　前記電気部（１１０）の一端部が前記案内スロット（９５０）の傾斜と相補形をなす輪郭を有しており、前記電気部（１１０）は使用時に前記案内スロット（９５０）内に適合して収まることを特徴とする［１５］に記載のハウジング。
［１７］　前記電気部（１１０）は電磁障害遮蔽用のシールド材（７０８）を備え、前記シールド材（７０８）の一部が前記電気部（１１０）と前記案内スロット（９５０）の壁とで接合することを特徴とする［１５］または［１６］に記載のハウジング。
【図面の簡単な説明】
【００４３】
【図１】本発明の第１実施形態を構成するクラムシェル構造エンクロージャの基体部の概略図である。
【図２】図１の保持支柱を説明する図で、（ａ）は正面図を、（ｂ）は平面図を示す。
【図３】図１のマザーボード保持具を様々な方向から見た様子を示す概略図で、（ａ）は上面図を、（ｂ）は正面上方より見下ろした状態の斜視図を、（ｃ）は背面下方から見上げた状態の斜視図を、（ｄ）は正面図を、（ｅ）は側面図を、（ｆ）は背面図を、それぞれ示す。
【図４】図１の通気孔ブロックを様々な方向から見た様子を示す概略図で、（ａ）は上面図を、（ｂ）は正面上方より見下ろした状態の斜視図を、（ｃ）は背面下方から見上げた状態の斜視図を、（ｄ）は正面図を、（ｅ）は側面図を、（ｆ）は背面図を、それぞれ示す。
【図５】図１のユーティリティブラケットを様々な方向から見た様子を示す概略図で、（ａ）は上面図を、（ｂ）は正面上方より見下ろした状態の斜視図を、（ｃ）は背面下方から見上げた状態の斜視図を、（ｄ）は正面図を、（ｅ）は側面図を、（ｆ）は背面図を、それぞれ示す。
【図６】一部組み上げたクラムシェル構造エンクロージャの概略図である。
【図７】本発明の第２実施形態を構成するフロントパネルディスプレイ組立体の分解図である。
【図８】図７の化粧パネルの概略図である。
【図９】組み上がった図７のフロントパネルディスプレイ組立体の概略図である。
【図１０】図１のクラムシェル構造エンクロージャの前面部の概略図である。
【図１１】本発明の第３実施形態を構成するクラムシェル構造エンクロージャ内にフロントパネルディスプレイ組立体を組み込んだ様子を示す図である。
【符号の説明】
【００４４】
１００　射出成形された基体部
１０２　基体（ハウジング）
１０４　側壁
１０６　通気孔
１０８　前面部
１１０　フロントパネルディスプレイ組立体（電気部）
１１２　背面部
１１４　把手コネクタ取り付け装置
１１６　ボス
１１８　位置決め部
１２０　保持支柱
１２２　補強リブ
１２４　側面
１２６　挿入装置（挿入部）
１２８　マザーボード保持具
１３０　通気孔ブロック
１３２　ユーティリティブラケット
２００　ステム
２０２　第１の分岐枝
２０４　第２の分岐枝
２０６　端部
２０８　内向き突起
２１０　溝
２１２　面
３００　保持具本体
３０２　上部
３０４　下部
３０６　クリップ部
３０８　上側タブ
３１０　下側支持突起
３１２　上側支持突起
３１６　保持凹部
３１８　嵌め込み周縁壁（傾斜壁）
３２０　内部周縁肩部
３２２　長手方向端部
３２４　スナップ捕捉体
３２６　アパチャ
４００　通気孔ブロック本体
４０２　第１の部分
４０４　第２の部分
４０６　長手方向端部
４０８　壁部
５００　ユーティリティブラケット本体
５０２　第１の部分
５０４　第２の部分
５０６　嵌め込み側壁（傾斜壁）
５０８　端部
５１０　丸穴
５１２　ブリッジ部
５１４　逃げ
６００　クラムシェル構造エンクロージャ
６０２　蓋部
６０４　位置合わせ部
７００　化粧パネル
７０２　キーマット
７０４　窓
７０６　可撓性キー回路
７０８　電磁障害（ＥＭＩ）シールド
７１０　フック
７１２　端部
７１４　傾斜
７１６　中央頂部
７２０　凹部
７２２　周縁壁
７２４　第２の端部壁
８００　周縁垂直壁
８０２　第１の端部
８０４　第１の端部壁
８０６　第１の傾斜
８０８　第２の傾斜
８１０　中央頂部
８１２　隆起
９００　フロントパネルディスプレイ組立体
９０２　ディスプレイ支持組立体
９０４　接続リード線
９５０　案内スロット（溝）
９５２　溝
９５４　前面壁
９５６　背面壁
９５８　基部溝
【図１】
2004088108.tif 000003
【図２】
2004088108.tif 000004
【図３】
2004088108.tif 000005
【図４】
2004088108.tif 000006
【図５】
2004088108.tif 000007
【図６】
2004088108.tif 000008
【図７】
2004088108.tif 000009
【図８】
2004088108.tif 000010
【図９】
2004088108.tif 000011
【図１０】
2004088108.tif 000012
【図１１】
2004088108.tif 000013